(57)【要約】      （修正有）【課題】２つの相互取り替え可能な道具を有し、一方がシャベル機能を提供して他方が熊手機能を提供し、双方とも地面の掘削に適している多機能掘削道具を提供する。【解決手段】交差型取っ手を形成するための横材を一方の端部側に設け、シャベルまたは熊手のような掘削道具３を取り付けるための手段を他方の端部側に設けたシャフト１を備える。対応するシャフト１が互いに取り外し可能にネジ締めできる少なくとも２つの部分１’，１’’を備える。上側の取っ手の横材は、シャフトの上側端部に対して取り外し可能に連結できるＴ型連結具５と、Ｔ型連結具の側部アームの各々の端部にネジ締め可能な２つの側部要素７とを備え、全体として特大な長さを有する上側の横材を形成する。相互取り替え可能な道具がシャフト１の下側端部に装着される。【選択図】図１
0003199966.tif 000002
【実用新案登録請求の範囲】
【請求項１】
交差型取っ手を形成するための交差型部材を一方の端部側に設け、シャベルまたは熊手のような掘削道具（３−３’）を取り付けるための手段を他方の端部側に設けたシャフト（１）が構成する多機能掘削道具であって、
対応する前記シャフト（１）は、互いに取り外し可能にネジ締めできる少なくとも２つの部分（１−１’）を備え、
上側の前記取っ手の前記交差型部材は、前記シャフトの上側端部に対して取り外し可能に結合できるＴ型連結具（５）と、前記Ｔ型連結具の側部アームの各々の端部にネジ締め可能な２つの側部要素（７）とから形成され、全体として特大な長さを有する上側の交差型部材を形成し；
前記熊手（３’）と相互取り替え可能であるシャベル（３）または鋤は、シャフト（１）の下側端部に取り付けられることを特徴とする多機能掘削道具。
【請求項２】
掘削シャベル（３）および掘削熊手（３’）の両方は金属からなり、前記金属は好ましくは鉄であり、
掘削シャベル（３）および掘削熊手（３’）は、上側縁部において、ユーザの足を載せる載置台を定める肥厚部を有することを特徴とする請求項１に記載の多機能掘削道具。
【請求項３】
前記シャベル（３）または鋤は、二等辺四辺形の形態を有しており、小さい方の下辺に対応する縁部が尖っていることにより、地面を切削して打ち込む縁部の輪郭が示されていることを特徴とする請求項１または２に記載の多機能掘削道具。
【請求項４】
前記シャフト（１）の長さは大凡８０ｃｍであり、前記道具を用いるユーザの身長に応じて、前記シャベルの寸法は、前記小さい方の下辺が大凡１６ｃｍであり、大きい方の上辺が大凡１９ｃｍであり、高さが２５ｃｍで対応しているとともに、前記取っ手の上側の交差型部材の各側部要素が好ましくは大凡４０ｃｍに設定されていることを特徴とする請求項１から３のいずれか１項に記載の多機能切削道具。
【考案の詳細な説明】
【考案の詳細な説明】
【０００１】
〔考案の目的〕
本考案は、地面を掘って整備して草花や野菜等の植え付けるために必要なガーデニングまたは同様の小規模作業に好ましくは使用でき、特に地面の掘削を対象とした多機能掘削道具に関する。
【０００２】
考案の目的は、デュアル機能道具を提供することである。つまり、デュアル機能道具は、２つの相互取り替え可能な道具を有し、一方がシャベル機能を提供して他方が熊手機能を提供し、双方とも地面の掘削に適しているものである。
【０００３】
〔考案の背景〕
よく知られているように、ガーデニングにおける土壌または地面の掘削、および、関連する作業は鍬を用いて行われ、これは人に腰を曲げた状態、つまり背骨が前方へ曲がった状態での作業を強いる。これに伴い、高度な身体運動が必要とされるにもかかわらずに、腰痛が引き起こされる。なぜなら、不規則に鍬を打ち込むと大量のエネルギーが浪費されることはもとより、鍬を用いて掘削を行う場合は背中および腕の急激な運動が必要であり、長くないある程度の時間が経過すると耐え難くなるためである。
【０００４】
他の欠点は、鍬を用いて掘削を行う場合、動かされた土は作業を行う人によって直ちに踏まれて、この者の履物が土で汚されるとともに、足跡の除去のために、踏まれた箇所の平滑化が必要になることである。
【０００５】
また、土壌上にて作業するために余されているスペースが手を伸ばす事ができないようなものであるという事に構わずに、周囲に多くの植物がある場所において鍬を用いて掘削を行う場合、枝を打ってしまう可能性があるため非常に不快であることを考慮すべきである。
【０００６】
要するに、鍬を用いた掘削は、不快であり、且つ肉体的負担を要する。より重要なことは、鍬を用いた掘削は、多くの人々が鍬で掘ることが不可能だと感じることになるほど、背下部に影響を与える。
【０００７】
〔考案の詳細〕
推奨される道具は、前述の問題を解決する掘削道具であり、人が腰を曲げた状態での掘削を行うこと無く、地面を掘ることを可能にするものである。
【０００８】
特に、本考案の道具は、シャベル或いは鋤、または熊手であり、双方とも地面の掘削に適している。この本考案の特徴は以下の通りである。すなわち、従来ならば交差型取っ手を端部とするシャフトが本考案では夫々の場合でも好ましくは互いにネジ締めされる２つの部分からなり、取っ手の外観は特大の長さの交差型部材であり、当該交差型部材は好ましくはＴ型連結具からなり、その両端に、非常に長い横断面を持つ側部要素が好ましくはネジを介して締結され、シャフトの端部は前記連結具の中間分岐に好ましくはネジ締めされる。
【０００９】
前記シャフトの下側端部は、シャベルや鋤、または、熊手のいずれか一方である道具自体に接続される。この接続は、これを目的として前記道具の上側縁部に設けられた継輪へシャフトの下側端部を連結することでなされる。この連結は、前記道具の組立品の長さを変化可能にするために調整可能であり、また、前記道具の組立品の残りの構成要素と同様に分離可能になっている。好ましくは前記シャフトの下側部分と前記道具の継輪とに形成される孔にボルトを貫通させることで前記道具と前記シャフトとの締結が行われる。
【００１０】
前記シャベルや鋤の特徴は、それが台形の形態を有し、好ましくは鉄でできており、大きい方の上辺が大凡１９ｃｍである一方、小さい方の下辺が大凡１６ｃｍであり、高さが２５ｃｍである。下側縁部は、小さい方の下辺に対応しており、尖った形状となって切刃を形成し、ガーデニング作業を実行するために地面を打ち込むことを可能にするだけでなく、掘削作業において出くわすかもしれない根や枝等を切断することを可能にする。
【００１１】
前記シャフトに関していうと、ユーザの身長または体型に応じて異なる長さに製造してよいのだが、その長さは大凡８０ｃｍであり、一方で、上側の交差型部材または交差型取っ手は好ましくは８０ｃｍの長さである。つまり、両方の部分は、４０ｃｍであり、前記シャフトの中央から４０ｃｍである。これは、前記道具を握って動かすためによい。
【００１２】
熊手の場合、それもまた鉄でできており、少し湾曲した爪と一体となっており、端部が尖がっている。いすれにしても、シャベルであっても熊手であっても、その上側縁部は、効率よく、簡易且つ楽に、前記道具を押し下げ且つ望ましい地面の掘削を達成するという目的のために、ユーザの足を載せる載置台を定める肥厚部または支持部を有している。
【００１３】
交差部材の上側のグリップを特に長くすることは、ユーザが左右の手を離して両肩と高さを揃えて前記道具を保持する事を可能にし、このように左右の手を離すことで、最小限度の力で梃子の力を作用させて土に対して顕著な力を及ぼすことが可能になる。これは、本願の道具は競業者のものと比べて効率が極めて高くなることを意味する。
【００１４】
最後に、注目すべきは、組み立てられた前記道具の長さまたは高さゆえ、地面の掘削作業が正確且つ的確に実行され、掘削作業を行っている人は、背骨を曲げる必要なく、完全な直立状態にて（つまり起立状態にて）作業を遂行できることである。
【００１５】
〔図面の簡単な説明〕
以下で提供される説明を補完するため、且つ、本考案の特徴をより容易に理解させるための手助けを目的として、実用的であり典型的なその実施形態に応じて、当該説明に図面一式を添付するが、当該図面によって考案が限定されるものではない。図面は以下に示す通りである。
【００１６】
図１は、本考案の対象となる多機能道具の構成に含まれる構成要素と異なる部分との側面図に応じた分解組立図を示す。好ましい実施形態では前記道具自体がシャベルや鋤である。
【００１７】
図２は、前述した図に示されるシャベルまたは対応する道具に対するシャフトの締結を詳細に示す側面図である。
【００１８】
図３は、前述した図に示されたものに対応する、シャベルとシャフトとの間の締結手段を示す図である。
【００１９】
最後に、図４は、シャベルの代りに熊手を組み込む場合の前述した図面に示す道具であり、同様の締結手段を示す斜視図である。
【００２０】
〔考案の好ましい形態〕
既に述べた図に示されるように、本考案の道具は、通常と同様、地面を掘削するために設計されたものであり、シャフト（１）と、前記道具を操作するための上側の交差型部材または交差型取っ手（２）と、シャベル（３）とから構成される。また、該当する場合には、その道具自体を構成するものであり且つ相互取替可能な構成要素である熊手（３’）が構成される。
【００２１】
このため、シャフト（１）は、好ましくは、夫々が相補的なネジ（４）を介して互いに結合可能な２つの部分（１’，１’’）から構成される。また、シャフト（１）を構成する部分（１’，１’’）間の連結は他のいくつかの型式を排除するものではない。そのような手法により、この分離可能な連結は、部分（１’，１’’）を分離して最小の長さを占有して例えばスーツケースや適当な鞄に格納して搬送することを可能にする。
【００２２】
上側の交差型部材若しくは上側の交差型取っ手（２）に関していうと、好ましくは、シャフト（１）の上側端部において相補的なネジ（６）を介して結合可能な連結具（５）が構成される。この連結具は、図１に示すようにＴ型の形態を有し、上記連結具の側部アーム（５’）は、夫々の側部要素（７）と互いにネジ締めするための内ネジ（６）を有している。夫々の側部要素（７）には、同様に、その側部アーム（５’）の内ネジ（６）と相補的なネジ（６）が設けられている。
【００２３】
このようにして、側部（７）を中央の連結具（５）に結合させることが可能であるため、交差型部材（２）が特大な長さを有し、顕著な長さの道具の取っ手を得ることができる。
【００２４】
第一の状況におけるシャベルや鋤、または、第２の状況における熊手のいずれか一方である道具（３、３’）に対応するシャフト（１）の下側端部の連結に関していうと、これを目的として道具（３，３’）に設けられた継輪（９）へシャフト（１）の下側部分（８）を挿入することによって連結が成し遂げられる。シャフト（１）の部分（８）と継輪（９）との両方が、対応する締結ネジ（１１）を貫通するための孔（１０）によって影響を受けるため、連結の高さが調整可能である。そのため、シャフトの組立品を脱着できるだけでなく、位置をより高くまたはより低くするためにシャフトの組立品の長さひいては道具の長さを調整できる。
【００２５】
最後に、注目すべきは、シャベルや鋤（３）、または、熊手（３’）のいずれかの掘削道具自体が、道具自体を足で押すためまたは足を載せるための肥厚部若しくは上側支持部（１２）を有し、それゆえ、地面に切削道具を良好に打ち付けることである。
【００２６】
前記道具の熊手（３’）を形成する爪の端部とシャベル（３）の下側縁部との両方は尖っており、これにより、それを地面に良好に打ち付けることができる。
【００２７】
シャフトと、交差型取っ手の上側交差型部材との両方は、好ましくは絶縁材料で被膜される。これは、電気的絶縁を確立して掘削中に前記道具が電気ケーブルに激突した際の感電を抑制するためである。
【図１】
0003199966.tif 000003
【図２】
0003199966.tif 000004
【図３】
0003199966.tif 000005
【図４】
0003199966.tif 000006